(57)【要約】【課題】コネクタの専有面積を増大させずに、配線数を多くすることなくより多くの電子デバイス機器に対する情報を効率よく伝送する制御装置を提供する。【解決手段】制御装置がデータ出力装置と複数の制御部とを備え、データ出力装置と複数の制御装置とが順にリング接続される。データ出力装置は出力するクロック信号のうち最も周波数の高いクロック信号の周波数を複数倍して新たなクロック信号を生成し、新たなクロック信号に基づいて他の複数の出力データを、差動信号を用いてシリアル伝送する。【選択図】図１
2020047046.tif 000002
【特許請求の範囲】
【請求項１】
出力するクロック信号のうち最も周波数の高いクロック信号の周波数を複数倍して新たなクロック信号を生成するクロック信号生成部と、
前記新たなクロック信号に基づいて他の複数の出力データを、差動信号を用いてシリアル伝送するシリアル伝送部と、
を備えるデータ出力装置。
【請求項２】
制御装置内部に備わる複数の制御部であって順にリング接続された制御部に対して前記出力データをシリアル伝送する
請求項１に記載のデータ出力装置。
【請求項３】
データ出力装置と複数の制御部とを備え、
前記データ出力装置と前記複数の制御装置とが順にリング接続され、
前記データ出力装置が、
出力するクロック信号のうち最も周波数の高いクロック信号の周波数を複数倍して新たなクロック信号を生成するクロック信号生成部と、
前記新たなクロック信号に基づいて他の複数の出力データを、差動信号を用いてシリアル伝送するシリアル伝送部と、
を備える制御装置。
【請求項４】
前記データ出力装置は前記リング接続により次に接続された送出先の制御部へ前記出力データをシリアル伝送し、
前記複数の制御部それぞれはリング接続により次に接続された送出先の制御部へ前記出力データをシリアル伝送する
請求項３に記載の制御装置。
【請求項５】
前記最も早いクロック信号は前記複数の制御装置の何れかの制御装置に備わるスピーカが入力する音声データの同期に用いる音声クロック信号である
ことを特徴とする請求項３または請求項４に記載の制御装置。
【請求項６】
遊技機に備えられた各デバイス機器の制御を行う請求項３から請求項５の何れかに記載の制御装置。
【請求項７】
データ出力装置と複数の制御部とを備える制御装置において、
前記データ出力装置と前記複数の制御装置とが順にリング接続し、
前記データ出力装置が、
出力するクロック信号のうち最も周波数の高いクロック信号の周波数を複数倍して新たなクロック信号を生成し、
前記新たなクロック信号に基づいて他の複数の出力データを、差動信号を用いてシリアル伝送する
制御方法。
【発明の詳細な説明】
【技術分野】
【０００１】
本発明は、データ出力装置、制御装置、制御方法に関する。
【背景技術】
【０００２】
遊技機はスピーカ、モニタ、モータ、電飾などの多くの電子デバイス機器が設けられる。これら電子デバイス機器は遊技機内部に備えられた制御装置が制御する。遊技機に設けられた各電子デバイス機器は一般的に、ホストボード付近からスター配線形態で接続される。このような配線形態は煩雑である。関連技術が特許文献１，２に開示されている。
【先行技術文献】
【特許文献】
【０００３】
【特許文献１】特開２００３−１６４５６０号公報
【特許文献２】特開２００５−３４６６６９号公報
【発明の概要】
【発明が解決しようとする課題】
【０００４】
上述の特許文献１の技術は遊技機の配線技術に関連し、基板間の配線ケーブルやバス配線をシリアル化することが記載されている。
また上述の特許文献２の技術はデータを転送するシステム制御部と当該システム制御部から転送されるデータを受け取る複数の各制御部がリング状に接続されることが記載されている。
【０００５】
上述のような配線技術を有する遊技機などの制御装置はさらに多くの電子デバイス機器を搭載されることが求められている。しかしながらデータ出力装置が備えることのできるコネクタの最大ピン数が定められておりその数を多くすることができず、構造上コネクタの専有面積を増大させることが難しい場合がある。さらに配線数を多くすることなく多くの電子デバイス機器に対する情報を効率よく伝送する必要がある。
【０００６】
そこでこの発明は、上述の課題を解決するデータ出力装置、制御装置、制御方法を提供することを目的としている。
【課題を解決するための手段】
【０００７】
本発明の第１の態様によれば、データ出力装置は、出力するクロック信号のうち最も周波数の高いクロック信号の周波数を複数倍して新たなクロック信号を生成するクロック信号生成部と、前記新たなクロック信号に基づいて他の複数の出力データを、差動信号を用いてシリアル伝送するシリアル伝送部と、を備えることを特徴とする。
【０００８】
本発明の第２の態様によれば、制御装置は、データ出力装置と複数の制御部とを備え、前記データ出力装置と前記複数の制御装置とが順にリング接続され、前記データ出力装置が、出力するクロック信号のうち最も周波数の高いクロック信号の周波数を複数倍して新たなクロック信号を生成するクロック信号生成部と、前記新たなクロック信号に基づいて他の複数の出力データを、差動信号を用いてシリアル伝送するシリアル伝送部と、を備えることを特徴とする。
【０００９】
本発明の第３の態様によれば、制御方法は、データ出力装置と複数の制御部とを備える制御装置において、前記データ出力装置と前記複数の制御装置とが順にリング接続し、前記データ出力装置が、出力するクロック信号のうち最も周波数の高いクロック信号の周波数を複数倍して新たなクロック信号を生成し、前記新たなクロック信号に基づいて他の複数の出力データを、差動信号を用いてシリアル伝送することを特徴とする。
【発明の効果】
【００１０】
本発明によれば、コネクタの専有面積を増大させずに、配線数を多くすることなくより多くの電子デバイス機器に対する情報を効率よく伝送することができる。
【図面の簡単な説明】
【００１１】
【図１】制御装置の構成を示すブロック図である。
【図２】シリアル化部の機能ブロック図である。
【図３】シリアル化部の処理フローを示す図である。
【図４】シリアル化部とデシリアル化部との構成を示す図である。
【発明を実施するための形態】
【００１２】
以下、本発明の一実施形態による遊技機の制御装置を図面を参照して説明する。
図１は同実施形態による制御装置の構成を示すブロック図である。
この図で示すように、制御装置１は、制御部Ａ〜制御部Ｊの複数の制御部を備える。制御部Ａ〜制御部Ｊはそれぞれ異なる基盤上に構成される。制御部Ａはデータ出力装置の一態様である。制御部Ａは内部にデータ出力装置の一態様であるシリアル化部１１１を備える。シリアル化部１１１は、制御信号やクロック信号を含む出力データをシリアル化して出力する。
【００１３】
複数の制御部Ａから制御部Ｊは順にリング接続される。つまり制御部Ａは制御部Ｂにシリアルバス３を介して接続し、制御部Ｂは制御部Ｃにシリアルバス３を介して接続し、制御部Ｃは制御部Ｄにシリアルバス３を介して接続する。制御部Ｄは制御部Ｅと信号線により接続し、また制御部Ｄは制御部Ｆにシリアルバス３を介して接続する。制御部Ｆは制御部Ｇにシリアルバス３を介して接続し、制御部Ｇは制御部Ｈにシリアルバス３を介して接続し、制御部Ｈは制御部Ｉにシリアルバス３を介して接続し、制御部Ｉは制御部Ｊにシリアルバス３を介して接続し、制御部Ｊは制御部Ｂにシリアルバス３を介して接続し、制御部Ｂは制御部Ａとシリアルバス３を介して接続する。なお制御部Ａと制御部Ｂの間は、制御部Ａから制御部Ｂへ出力されるデータと制御部Ｂから制御部Ａへ出力されるデータを通す２本のシリアルバス３と接続される。これによりリング接続を構成する。各制御部はシリアルバスにより接続される。制御部Ｅのようにリング接続から外れて一つまたは複数の他の制御部にのみ並列に接続される制御部があってもよい。
【００１４】
制御部を具体的に説明すると、各制御部のうち制御部Ｂは出力データを中継する処理を行う。また制御部Ｃ，Ｅ，Ｆ，Ｇ，Ｈ，Ｉは電飾等の電子デバイス機器を設けそれら電子デバイス機器を出力データのうちの一部のデータを用いて制御する。また制御部Ｄは音声デバイス（スピーカ）等の電子デバイス機器を設け当該電子デバイス機器を出力データのうちの一部のデータを用いて制御する。制御部Ａはデータ出力を行う。
【００１５】
図２はシリアル化部の機能ブロック図である。
制御部Ａに設けられたデータ出力装置の一態様であるシリアル化部１１１は、少なくともクロック信号生成部１２１と、シリアル伝送部１２２とを備える。
クロック信号生成部１２１は入力後に出力する複数のクロック信号のうち最も周波数の高いクロック信号の周波数を複数倍して新たな周波数のクロック信号を生成する。
シリアル伝送部１２２は、新たなクロック信号のフレームを時分割してそれらの時分割した各タイミングのうちの所定のタイミングに他の出力データに対応する信号を乗せた出力データを生成して出力する。これによりシリアル化部１１１が入力して他の制御部（制御部Ｂ）へ出力する複数の出力データをシリアル化する。なおシリアル化した出力データを伝送するシリアルバスは一例として作動信号の方式を用いる。
【００１６】
図３はシリアル化部の処理フローを示す図である。
次にシリアル化部１１１の処理について説明する。
制御部Ａのシリアル化部１１１は、制御部Ａの基盤に備わる複数の制御装置から複数の出力データを取得する（ステップＳ１０１）。出力データは一例としては、音声クロック信号、音声データ、電飾関連クロック信号、電飾用データなどが複数種類ある。シリアル化部１１１のクロック信号生成部１２１はこれらの出力データのうち、最も周波数の高いクロック信号Ｓ１の周波数を複数倍して新たなクロック信号を生成する（ステップＳ１０２）。具体的にはクロック信号生成部１２１は、２２ＭＨｚ程度の周波数の音声クロック信号を逓倍回路に入力し３６倍にして８００ＭＨｚ程度の周波数の新たな音声クロック信号を生成する。クロック信号生成部１２１は新たな音声クロック信号をシリアル伝送部１２２へ出力する。
【００１７】
シリアル化部１１１は新たな音声クロック信号のフレームを時分割してそれらの時分割した各タイミングのうちの所定のタイミングに他の出力データに対応する信号Ｓ２を乗せたシリアル化した出力データを生成する（ステップＳ１０３）。シリアル伝送部１２２は当該シリアル化した出力データをリング接続された次の制御部である制御部Ｂ（１２）へ出力する（ステップＳ１０４）。制御部Ｂ（１２）は出力データを中継する制御部であり、出力データを制御部Ｃ（１３）へ出力する。制御部Ｃ（１３）はシリアル化された出力データをデシリアル化するデシリアル化部１３１を備え、当該デシリアル化部１３１が出力データのうち必要な信号を含むデータを取得し、他の出力データをシリアル化部１３２へ出力する。シリアル化部１３２は出力データをシリアル化して制御部Ｄへ出力する。
【００１８】
制御部Ｄ（１４）はリピータ部１４１を備え、当該リピータ部１４１はシリアル化された出力データをデシリアル化部１４２と制御部Ｆ（１６）へ出力する。デシリアル化部１４２は出力データをデシリアル化して必要な信号を含むデータを取得し制御部Ｅ（１５）等の後段の電子デバイス機器や回路へ出力する。制御部Ｆ（１６）は制御部Ｃ（１３）と同様に、デシリアル化部１６１とシリアル化部１６２を備える。制御部Ｇ（１７）は制御部Ｃ（１３）と同様に、デシリアル化部１７１とシリアル化部１７２を備える。制御部Ｈ（１８）は制御部Ｄ（１４）と同様に、リピータ部１８１とデシリアル化部１８２とを備える。制御部Ｉ（１９）は制御部Ｄ（１４）と同様に、リピータ部１９１とデシリアル化部１９２とを備える。制御部Ｊ（２０）は制御部Ｄ（１４）と同様に、リピータ部２０１とデシリアル化部２０２とを備える。そして各制御部において対応する他の制御部と同様に必要な信号を含むデータを取得し、出力データを転送していく。そしてシリアルバス３を介して転送された出力データは制御部Ａのデシリアル化部１１２が取得してデシリアル化して後段の電子デバイス機器や回路等へ出力する。制御部Ｃのシリアル化部１３２、制御部Ｆのシリアル化部１６２、制御部Ｇのシリアル化部１７２は新たな信号を入力してシリアル化された出力データに載せて当該出力データを送信してよい。
【００１９】
図４はシリアル化部とデシリアル化部との構成を示す図である。
制御部Ａの備えるシリアル化部１１１と、制御部Ｃの備えるデシリアル化部１３１の構成を示す図である。シリアル化部１１１で１サイクル（ＣＹＣ）が３６逓倍され、時分割した各時間に音声クロック信号Ｓ１以外の他の信号Ｓ２のデータが載せられる。そして出力データを受信した各制御部はデシリアル化部１３１において必要なデータを取得し、その出力データを分周回路に入力して元も音声クロック信号を取得することができる。図４中Ｄ［27..0］は０〜２７の信号に対応するデータを示す。なお制御部Ｄ，Ｆ，Ｇ，Ｈ，Ｉ，Ｊの各デシリアル化部１４２，１６１，１８２，１９２，２０２の構成は、デシリアル化部１３１と同様である。
【００２０】
上述のような制御装置１により、コネクタの専有面積を増大させずに、配線数を多くすることなくより多くの電子デバイス機器に対する情報を効率よく伝送することができる。つまり、より高速なシリアル信号にすべての信号を載せて、各制御部をリング接続化し、スレーブデバイスの直前で必要な形式の信号に変換することで、バスの本数の削減と、バスが削減したことにより空いたコネクタを利用した他の電子デバイス機器の接続による拡張性アップ、構造の簡素化を図ることができる。
【００２１】
なお上述の制御装置１は遊技機に利用される場合の例を示しているが、他の機器の内部に搭載されるようにしてもよい。
【符号の説明】
【００２２】
１・・・制御装置
１１１，１３２，１６１，１７２・・・シリアル化部
１１２，１３１，１６１，１７１・・・デシリアル化部
１４１，１８１，１９１，２０１・・・リピータ部
１２１・・・クロック信号生成部
１２２・・・シリアル伝送部
【図１】
2020047046.tif 000003
【図２】
2020047046.tif 000004
【図３】
2020047046.tif 000005
【図４】
2020047046.tif 000006